(57)【特許請求の範囲】
【請求項１】
薬液を、ヘッドスペースが形成される充填量で充填した薬液タンク、及び薬液タンクの下方に設けられた薬液吐出孔からなり、水洗トイレのロータンクの手洗い部に載置されるトイレ洗浄用品であって、
薬液の比重が、比重１未満の溶媒を含有することにより、１．００未満０．７５以上、
薬液吐出孔の最狭流路面積が０．２〜８０ｍｍ2
であり、
薬液の吐出が、主として、薬液吐出孔の先端開口部に保持された薬液が水洗トイレのロータンクの手洗い部に流れ込んだ水に洗い流されることと、ヘッドスペースの膨張によりなされるトイレ洗浄用品。
【請求項２】
薬液タンク内のヘッドスペースが、薬液タンクの満容量の１５％以上である請求項１記載のトイレ洗浄用品。
【請求項３】
薬液吐出孔が、薬液タンクの下方に設けられた薬液吐出ノズルに形成されている請求項１又は請求項２記載のトイレ洗浄用品。
【請求項４】
薬液吐出ノズル内にフィルターが充填されている請求項３記載のトイレ洗浄用品。
【請求項５】
薬液吐出ノズルの先端部が鋭角である請求項３又は４記載のトイレ洗浄用品。
【発明の詳細な説明】
【技術分野】
【０００１】
本発明は、水洗トイレの手洗い付きロータンクの手洗い部に載置し、手洗い部の上方のカランから給水により、ロータンク内に薬液（芳香剤、洗浄剤、殺菌剤等）を吐出する薬液吐出容器に関する。
【背景技術】
【０００２】
水洗トイレの手洗い付きロータンクの手洗い部に載置し、手洗い部の上方のカランから供給される水に薬液（芳香剤、洗浄剤、殺菌剤等）を混合するために用いる薬液吐出容器として、特許文献１に記載されているオンタンク型薬液剤供給装置が知られている。この薬液剤供給装置は、薬液を収容する容器と、容器の連通口に挿入された液体供給栓と、液体供給栓から漏洩した薬液を保持する貯留槽を備えた台座からなり、液体供給栓が微細輸送路構造と換気用連通路を有し、薬液を保持した貯留槽が、カランから手洗い部に供給された水の流れに晒され、そこから薬液が洗い出され、ロータンク内に流下するようにしたものである。
【特許文献１】特開２００２−１４６８７９号公報
【発明の開示】
【発明が解決しようとする課題】
【０００３】
上述の薬液剤供給装置は、微細輸送路構造を有する液体供給栓の構造が複雑であり、製造コストが高くつく。これに対し、より単純な機構のものとしては、図７（ａ）に示すように、薬液Ａを収容する薬液タンク１と薬液タンク１の底部開口部２に取り付けたキャップ３からなり、キャップ３に薬液吐出ノズル４と足６を設けた薬液吐出容器１００ｘが考えられる。薬液吐出ノズル４の先端開口部５には、薬液Ａが表面張力と薬液タンク１内が弱い負圧状態になることにより保持される。
【０００４】
図７（ｂ）に示すように、この薬液吐出容器１００ｘを、ロータンクの手洗い部２０の吸水口２１上に載置し、水洗トイレの水をフラッシュさせることによりカランから手洗い部２０に矢印のように水Ｗが供給されると、その水Ｗは薬液Ａを保持した薬液吐出ノズル４を洗うようにしてロータンク内に流下するので、これにより薬液Ａがロータンク内に混入する。また、カランからの給水が止まった後においても、給水時に比して薬液タンク内の温度が上がり、ヘッドスペースが膨張することによって薬液Ａが吐出され、ロータンク内に混入する場合もある。したがって、この薬液吐出容器１００ｘによれば、単純な機構で薬液Ａをロータンク内に混入させることが可能となる。
【０００５】
しかしながら、この薬液吐出容器１００ｘによれば、薬液Ａが吐出されることにより、薬液タンク１内に空気が混入して薬液Ａの量が減少する場合と、水が混入して薬液Ａが希釈される場合とがあるため、薬液タンク１内の薬液Ａの全てが吐出された時期を、薬液吐出容器１００ｘの使用を終了すべき時期とすると、水が混入する場合には、薬液が希釈され、十分な薬効のない薬液が吐出される時期にまで使用が継続されてしまうという問題がある。
【０００６】
これに対し、本発明は、薬液の物性と薬液吐出容器の構造の適切な組合せにより、薬液タンクから薬液が確実に吐出されるとともに、カランから給水された水が薬液タンク内に混入して薬液タンク内の薬液が希釈されることを防止し、これにより、薬効のない薬液を使い続けるという問題を生じさせることなく、薬液タンク内の薬液を最後まで使い切れるようにすることを目的とする。
【課題を解決するための手段】
【０００７】
本発明者らは、水洗トイレのロータンク付き手洗い部に載置する簡便な機構の薬液吐出容器において、薬液タンクに充填する比重を１．００未満とすると、薬液タンク内の薬液がカランから給水された水と置換し難くなり、薬液タンクから薬液が吐出される度に確実に薬液タンク内の液量が減り、最後に薬液タンクは空になることを見出した。
【０００８】
即ち、本発明は、薬液を収容する薬液タンク、及び薬液タンクの下方に設けられた薬液吐出孔からなり、
薬液の比重が１．００未満０．７５以上、
薬液吐出孔の最狭流路面積が０．２〜８０ｍｍ2
である薬液吐出容器を提供する。
【０００９】
また、本発明は、上述の薬液吐出容器の薬液タンクに、トイレ洗浄液が充填されてなるトイレ洗浄用品を提供する。
【発明の効果】
【００１０】
本発明によれば、水洗トイレのロータンクの手洗い部に載置することにより、薬液タンク内の薬液をロータンク内に簡便な機構で混入させることができる薬液吐出容器において、カランからの給水やトイレの室温の変化等による薬液タンク内のヘッドスペースの膨張により確実に薬液を吐出させることができ、さらに、カランからの給水時に薬液タンク内の薬液が水と置換し、薬液タンク内の薬液が希釈されることを防止できる。したがって、薬効のない薬液を使い続けるという問題を生じさせることなく、薬液タンク内の薬液を最後まで使い切ることが可能となる。
【発明を実施するための最良の形態】
【００１１】
以下、図面を参照しつつ、本発明を詳細に説明する。なお、各図中、同一符号は同一又は同等の構成要素を表している。
【００１２】
図１は、本発明の一態様の薬液吐出容器１００Ａに薬液Ａを充填したトイレ洗浄用品２００Ａを正面から見た部分断面図とその部分拡大断面図（ａ）、側面図（ｂ）、上面図（ｃ）及び底面図（ｄ）である。
【００１３】
この薬液吐出容器１００Ａは、薬液タンク１と、薬液タンク１の底部開口部２に取り付けられたキャップ３からなる。
【００１４】
薬液タンク１には、トイレ用芳香剤、洗浄剤、殺菌剤等の薬液Ａが充填されている。
【００１５】
薬液Ａの比重が、カランから給水された水の比重以上の場合には、カランから給水された水が薬液吐出ノズル４の先端開口部５に触れていると、薬液タンク１内の薬液Ａと置換するが、薬液Ａの比重が水の比重よりも小さい場合には、カランから給水された水が薬液吐出ノズル４の先端開口部５を洗っている間の短時間に、その水が薬液タンク１内の薬液Ａと置換することはない。したがって、薬液タンク１から薬液Ａが吐出される毎に、薬液タンク１内には空気が入り、薬液タンク１内の液量は確実に減少し、ついには空になる。また、薬液の吐出に伴って薬液タンク１内の薬液が薬効のない程度にまで希釈されることもない。よって、一般消費者は、薬液Ａが十分な薬効を有する状態で、トイレ洗浄用品２００Ａを薬液Ａが空になるまで使いきることができる。
【００１６】
薬液Ａの比重を、カランから給水された水の比重よりも小さくするため、通常の使用条件では、２０℃の薬液Ａの比重を１．００未満とし、好ましくは温度による水の比重の変動の点から０．９９以下とする。また、薬液Ａの比重は、薬液配合の点から０．７５以上とし、好ましくは０．８０以上、さらに好ましくは０．９０以上とする。
薬液Ａの比重を１未満とするためには、例えば、表１に示す比重１未満の溶媒を薬液Ａに適宜使用する。
【００１７】
［表１］
0004614042.tif 000002
（溶剤ハンドブック、講談社、1976年）
【００１８】
薬液Ａの粘度（２０℃）は、比重を上述の範囲に調整することにより、通常、１〜３０００ｍＰａ・ｓとなる。この粘度は、２０℃でＢ型粘度計（６０ｒｐｍ）により測定される値である。
【００１９】
薬液吐出容器１００Ａにおける薬液Ａの充填量は、使用開始時の薬液タンク１内のヘッドスペースが、薬液タンク１の満容量の１５％以上となるようにすることが好ましい。これにより、カランからの給水やトイレの室温の変化等による薬液タンク１内のヘッドスペースの膨張により、薬液Ａを確実に吐出させることができる。
【００２０】
キャップ３の底部には薬液吐出ノズル４が該キャップ３と一体に形成されている。この薬液吐出ノズル４は先端部４ａが細径になっており、また、その内部の薬液吐出孔９には、フィルター１４が充填されている。
【００２１】
本発明においては、薬液吐出ノズル４に形成されている薬液吐出孔９の最狭流路面積を０．２〜８０ｍｍ2とする。ここで、薬液吐出孔９の最狭流路面積とは、薬液吐出孔９内の薬液Ａの流下方向と垂直な断面における正味の流路面積のうち最小のもの、略すれば、薬液吐出孔９内の正味の流路のうち最も狭い部分の面積をいう。したがって、この薬液吐出容器１００Ａにおいて、薬液吐出孔９内にフィルター１４が充填されていない場合には、流路横断面の面積が最小となる部位は先端開口部５となるので、先端開口部５の開口面積を上述の範囲とするが、図１（ａ）のように薬液吐出孔９内にフィルター１４が充填されている場合に、フィルター１４が充填されている部位の薬液吐出孔９の最狭流路面積（薬液吐出ノズル４自体の流路面積からフィルター１４が占める面積を差し引いた正味の流路面積の最小値）が先端開口部５の開口面積より小さいときには、フィルター１４が充填されている部位の薬液吐出孔９の最狭流路面積を上述の範囲とする。また、薬液吐出ノズルの中間部の薬液吐出孔が先端開口部よりも細径になっている場合には、その細径部分の流路面積を上述の範囲とする。
【００２２】
薬液Ａの吐出量は、薬液吐出孔９内の流路の最も狭い部分の面積に依存し、その値が小さすぎると薬液Ａが吐出されにくく、大きすぎるとカランからの給水が停止している間に薬液吐出ノズル４を通して薬液と空気の置換が連続的に起こり、トイレの使用の有無に関わらず、薬液Ａが速やかに無くなっていくが、薬液吐出孔９の最狭流路面積を上述の範囲とすることにより、薬液Ａの適量を吐出させることができる。
【００２３】
薬液吐出孔の最狭流路面積は、薬液吐出ノズル４の先端開口部あるいは薬液吐出孔９の横断面の口径の他、薬液吐出孔９に充填するフィルターの種類によって調整することができる。また、薬液吐出孔９を単孔構造（図５（ａ）〜（ｅ）参照）とするか、多孔構造（図５（ｆ）〜（ｈ）参照）とするかによっても調整することができる。したがって、本発明によれば、薬液吐出ノズル４の設計の自由度が高まり、その成型作業が容易となる。特に、最狭流路面積が小さい薬液吐出ノズル４を作製する場合に、薬液吐出ノズル４の先端開口部５の口径は必ずしも小さくしなくてもよいので、薬液吐出ノズル４の成型が容易となる。
【００２４】
本発明において、薬液吐出ノズル４の形状は、図３に示したように、内径ｂがそのまま先端開口部５の口径ａとなっている筒状としてもよいが、図１（ａ）に示したように、内径ｂに対して先端開口部５の口径ａが細い絞りノズルとすることが好ましい。これにより、薬液タンク１内の負圧によって先端開口部５から空気が吸い込まれた場合に、それによって薬液吐出ノズル４が閉塞状態となり、薬液Ａの吐出不良が生じることを防止できる。
【００２５】
また、薬液吐出ノズル４の形状としては、図１（ａ）に示したように、先端部４ａを鋭角とすることが好ましい。これにより、先端開口部５に薬液Ａを保持する表面張力が弱まり、先端開口部５に保持されていた薬液Ａが確実にカランから給水された水で洗われ、ロータンク内に吐出されるようになる。先端部４ａを鋭角にする態様としては、図４に示したように薬液吐出ノズル４の外径と内径を先端部に向かって狭めてもよい。
【００２６】
薬液吐出ノズル４の横断面形状については、特に制限はない。例えば、薬液吐出孔９を単孔構造とする場合、図５（ａ）のように円とする他、楕円（同図（ｂ））、矩形（同図（ｃ））、星形（同図（ｄ））、三角形（同図（ｅ））等とすることができる。また、多孔構造とする場合、図５（ｆ）、（ｇ）のようにノズル基材に複数の孔を形成してもよく、同図（ｈ）のように単孔構造のノズル４’内に、断面が格子状の流路仕切り材１５を嵌め込んでもよい。
【００２７】
フィルター１４は、薬液吐出孔９の最狭流路面積を調整するため、必要に応じて薬液吐出ノズル４内に充填される。このフィルター１４としては、水透過性のよい材料を使用することが好ましく、例えば、ポリウレタン、ポリエチレン、ナイロン、メラミン等の合成樹脂の連続気泡フォーム、ハニカム状、メッシュ状、網状等の層からなる３次元骨格組織を有する織布、不織布、金属繊維集合体等を使用することができる。中でもセル数５〜５０個／２５ｍｍの連続気泡フォームが好ましく、特に連続気泡ウレタンフォームが好ましい。なお、連続気泡フォームを充填する場合、そのセル数が多い程、薬液Ａの吐出量が少なくなるので、使用する連続気泡ウレタンフォームのセル数を適宜選択することにより、薬液Ａの吐出量を調整することができる。
【００２８】
水洗トイレのフラッシュ１回あたりの薬液Ａの吐出量は、薬液の効果が十分に発揮され、かつ過剰な薬液の吐出を抑制してトイレでの使用持続回数が多くなるように、薬液の種類、濃度等に応じて適切な量、例えば、フラッシュ１回当たりの薬液吐出量０．０５〜０．５ｇとすることが好ましく、さらに、約１ヶ月の使用を考慮すると、０．１〜０．２ｇとすることが好ましい。そのために本発明の範囲内で薬液Ａの比重及び薬液吐出孔９の最狭流路面積を適宜組み合わせることが好ましい。
【００２９】
薬液Ａとしては、水道水に含まれる塩素に対して耐性があるものが好ましい。また、薬液Ａには、必要に応じて人体に安全な青色、緑色等の着色剤を含有させることができる。
【００３０】
薬液タンク１は、そこに充填された薬液Ａの残量を薬液タンク１外から観察できるように、透明又は半透明材料から形成されているものが好ましい。
【００３１】
キャップ３の底部には、カランから供給された水を薬液吐出ノズル４の方に流し、薬液吐出ノズル４に沿って流下させる水誘導構造を設けることが好ましい。図１の薬液吐出容器１００Ａには、水誘導構造の一態様として、薬液吐出ノズル４を中心として放射状に起立した８枚の板状部７がこのキャップ３と一体に設けられている。また、キャップ３には足６が一体的に設けられている。
【００３２】
この水誘導構造をなす板状部７は、本発明において必要に応じて設けられる。薬液吐出ノズル４を中心として放射状に板状部７を設けることにより、ロータンクの手洗い部２０の形状、手洗水の水量、水圧、手洗い部２０における薬液吐出容器１００Ａの載置位置等によらず、カランから供給された水を、板状部７に沿わせて薬液吐出ノズル４の方に流し、次いで、薬液吐出ノズル４に沿わせてロータンク内に流下させることができる。したがって、先端開口部５から滴下しかかった薬液を、カランから供給された水の流れにより、確実にロータンク内に混入させることが可能となる。また、キャップ３の底面が吸水口２１を塞ぐことが防止されるので、手洗い部２０に水が溢れることを防止できる。
【００３３】
なお、水誘導構造の態様は、上述の例に限らない。例えば、水誘導構造をなす板状部７は、薬液吐出ノズル４を中心として放射状に起立したものである限り、その形状は平板でも曲板でもよい。
【００３４】
このトイレ洗浄用品２００Ａの使用方法としては、まず、薬液Ａが薬液タンク１に収容されている状態において、トイレ洗浄用品２００Ａを水洗トイレの手洗い付きロータンクの手洗い部２０の吸水口２１上に載置し、薬液吐出ノズル４を吸水口２１に挿入する。この状態で、薬液吐出ノズル４の先端開口部５には、表面張力と薬液タンク１内の弱い負圧により薬液Ａが保持されている。
【００３５】
なお、ロータンクの吸水口２１上にカランが設けられ、薬液タンク１の上方から水が供給される場合について、以下に説明するが、ロータンクの吸水口２１上にはカランがなく、したがって、ロータンクの吸水口２１に薬液吐出ノズル４を挿入した場合に、薬液タンク１の側方のカランから水が供給される場合でも、このトイレ洗浄用品２００Ａは使用することができる。
【００３６】
図２に示すように、トイレ洗浄用品２００Ａを手洗い部２０に載置後、水洗トイレの水がフラッシュされ、カランから水が供給されると、水Ｗは、薬液タンク１に沿って手洗い部２０に流れ込む。手洗い部２０に流れ込んだ水Ｗは、板状部７に沿って薬液吐出ノズル４の方に流れ、薬液吐出ノズル４の先端開口部５を洗うようにしてロータンク内に入る。
【００３７】
したがって、先端開口部５に保持されていた薬液Ａが水Ｗで洗い流され、確実にロータンク内に混入する。また、カランから給水された水の温度がトイレの室温よりも高い場合には、ヘッドスペースが温められ、その膨張により薬液が吐出される。
【００３８】
薬液タンク１からロータンク内に混入した薬液の量に応じて、先端開口部５から直ちに空気が薬液タンク１内に入り、薬液吐出ノズル４の先端開口部５には薬液Ａが保持される。ここで、薬液Ａの比重は１．００未満であるため、洗い流された薬液Ａの量に応じて水が薬液タンク１内に入り、薬液タンク１内の薬液が希釈されていくことはない。
【００３９】
カランからの給水が止まると薬液吐出ノズル４の先端開口部５に保持されている薬液Ａをさらう水の流れがなくなる。
【００４０】
また、カランからの給水により薬液タンク１内のヘッドスペースが温められた場合には、カランからの給水が止まるとヘッドスペースが冷えて収縮し、薬液タンク１内に空気が吸い込まれる。
【００４１】
一方、カランから給水された水の温度がトイレの室温よりも低い場合、カランからの給水時には薬液タンク１内のヘッドスペースが冷えて収縮し、薬液タンク１内に空気が吸い込まれる。そしてカランからの給水が止まると、ヘッドスペースの温度が室温に戻り、膨張して薬液Ａが吐出される。
【００４２】
また、カランからの給水とは別に、トイレの室温の一日の変動によってもヘッドスペースの膨張により薬液Ａが吐出される。
【００４３】
このように、このトイレ洗浄用品２００Ａでは、カランからの給水やトイレの室温の変化等によって薬液タンク１から薬液が吐出されるが、薬液タンク１内の薬液Ａは比重が１．００未満であるためにカランから供給された水と置換し難いので、薬液Ａの吐出は、水との置換よりも、主として、カランからの給水やトイレの室温の変化等によるヘッドスペースの膨張によりなされる。したがって、ヘッドスペースを薬液タンクの容積の１５％以上とすることにより、ヘッドスペースの膨張によって確実に薬液Ａが吐出され、また、薬液Ａの吐出ごとに薬液タンク１内に空気が入り、薬液タンク１内の液量が減少していく。
よって、この薬液吐出容器１００Ａによれば、十分な薬効のない薬液Ａを使い続けるという事態が防止され、十分な薬効を有する状態で最後まで薬液Ａを使いきることができる。
【００４４】
本発明の薬液吐出容器は、この他種々の態様をとることができる。例えば、図６に示すトイレ洗浄用品２００Ｂの薬液吐出容器１００Ｂのように、薬液吐出ノズルを設けることなく、キャップ３に直接的に薬液吐出孔９を開口してもよく、また、板状部７からなる水誘導構造を省略してもよい。本発明の薬液吐出容器によれば、薬液タンク１内のヘッドスペースの膨張により確実に薬液が吐出されるので、このように簡単な構造とすることができる。
【００４５】
また、図７の薬液吐出容器１００ｘについても、その薬液吐出ノズルの薬液吐出孔の最狭流路面積を０．２〜８０ｍｍ2とし、比重１．００未満の薬液を充填することにより、本発明のトイレ洗浄用品とすることができる。
【実施例】
【００４６】
（１）薬液の充填量と吐出性能との関係
図１の薬液吐出容器１００Ａにおいて、薬液吐出ノズル４へのフィルター１４の充填を省略したものを作製した（薬液タンクの満容量１００ｍＬ、薬液吐出ノズル４の先端開口部の口径２ｍｍ、薬液吐出孔９の最狭流路面積３ｍｍ2）。
【００４７】
一方、表２に示すように、比重（２０℃）が０．９２、１．０５、１．２４の３種の薬液Ａ１、Ａ２、Ａ３を調製し、上述の容器に、これら３種の薬液を、それぞれ１００ｍＬ（満容量）、８０ｍＬ、又は６０ｍＬ充填し、これをモデルトイレ（トイレ室温２３〜２６℃、水温２２〜２４℃）に設置して１時間間隔でフラッシュを５００回繰り返し、その後に薬液タンク内の液残量を測定した。結果を表３に示す。
【００４８】
［表２］
0004614042.tif 000003
(*1)エコーガムＴ、大日本製薬社
(*2)アルキルグルコシド、直鎖アルキル基の炭素数が１２と１４の混合物。糖平均縮合度１．２（縮合度１と２の混合物）
(*3)プロキセルＢＤ、アビシア社
【００４９】
［表３］
0004614042.tif 000004
【００５０】
表３の結果から、比重１．００未満の薬液を充填し、薬液タンク内にヘッドスペースを設けることにより、薬液の吐出に伴って薬液タンク内の薬液が希釈されることなく、薬液タンク内の液残量が確実に減少することがわかる。
【００５１】
（２）薬液吐出孔の最狭流路面積と吐出性能との関係
（１）の容器と同様にして、薬液吐出ノズル４の先端開口部の口径が０．３４ｍｍ（最狭流路面積０．１ｍｍ2）、１．１２ｍｍ（最狭流路面積１．０ｍｍ2）、２．６ｍｍ（最狭流路面積５ｍｍ2）、３．６ｍｍ（最狭流路面積１０ｍｍ2）、１１．２ｍｍ（最狭流路面積１００ｍｍ2）の５種の容器を作製し、それぞれに、上述の３種の薬液Ａ１、Ａ２、Ａ３を７０ｍＬ充填し、これをモデルトイレ（トイレ室温２３〜２６℃、水温２２〜２４℃）に設置して１時間間隔でフラッシュを５００回繰り返し、その後に薬液タンク内の液残量を測定した。結果を表４に示す。
【００５２】
［表４］
0004614042.tif 000005
【００５３】
表４の結果から、薬液吐出孔の最狭流路面積が１ｍｍ2、５ｍｍ2、１０ｍｍ2の容器に、比重１．００未満の薬液を充填した場合には、薬液の吐出に伴って薬液タンク内の薬液が希釈されることなく、薬液タンク内の液残量が確実に減少することがわかる。
【産業上の利用可能性】
【００５４】
本発明の薬液吐出容器は、水洗トイレの手洗い付きロータンクである限り、手洗い部におけるカランや吸水口の位置等に関わらず、使用することができる。
【図面の簡単な説明】
【００５５】
【図１】本発明のトイレ洗浄用品を正面から見た部分断面図とその部分拡大断面図（ａ）、側面図（ｂ）、上面図（ｃ）及び底面図（ｄ）である。
【図２】本発明のトイレ洗浄用品をロータンクの手洗い部に載置した状態の断面図である。
【図３】薬液吐出ノズルの断面図である。
【図４】薬液吐出ノズルの断面図である。
【図５】薬液吐出ノズルの横断面図である。
【図６】本発明の異なる態様のトイレ洗浄用品をロータンクの手洗い部に載置した状態の断面図である。
【図７】薬液吐出容器の斜視図（ａ）、及びロータンクの手洗い部に載置した薬液吐出容器の断面図（ｂ）である。
【符号の説明】
【００５６】
１  薬液タンク
２  薬液タンクの底部開口部
３  キャップ
４  薬液吐出ノズル
４ａ  薬液吐出ノズルの先端部
５  先端開口部
９  薬液吐出孔
１４  フィルター
２０  手洗い部
２１  吸水口
１００Ａ、１００Ｂ    薬液吐出容器
２００Ａ、２００Ｂ    トイレ洗浄用品
Ａ  薬液
Ｗ  水
【図１】
0004614042.tif 000006
【図２】
0004614042.tif 000007
【図３】
0004614042.tif 000008
【図４】
0004614042.tif 000009
【図５】
0004614042.tif 000010
【図６】
0004614042.tif 000011
【図７】
0004614042.tif 000012